(57)【特許請求の範囲】
【請求項１】
遊技機の遊技盤表面に設けられ、前記遊技盤表面にネジ止めされる部品の貫通孔位置に仮孔が開けられる化粧シートであって、前記部品の貫通孔と前記仮孔との位置を一致させるために前記仮孔位置周辺に設けられ該仮孔内部の色より明度の高い色による目印を含むことを特徴とする遊技機用化粧シート。
【請求項２】
ネジ止めされる部品の貫通孔位置に仮孔が開けられる化粧シートが表面に設けられる遊技機の遊技盤であって、前記化粧シートは、前記部品の貫通孔と前記仮孔との位置を一致させるために前記仮孔位置周辺に設けられ該仮孔内部の色より明度の高い色による目印を含むことを特徴とする遊技機用化粧シートを用いた遊技盤。
【請求項３】
ネジ止めされる部品の貫通孔位置に仮孔が開けられる化粧シートが表面に設けられる遊技機の遊技盤の製造方法であって、前記部品の貫通孔と前記仮孔との位置を一致させるために前記仮孔位置周辺に設けられ該仮孔内部の色より明度の高い色による目印を含む化粧シートを遊技盤表面に設けるステップと、前記化粧シートにおいてネジ止めされる部品の貫通孔位置に仮孔を開けるステップと、前記仮孔内部の色と前記目印の色との対比において前記仮孔の位置を確認しつつ前記部品を前記仮孔にネジ止めするステップとを含むことを特徴とする遊技機用化粧シートを用いた遊技盤の製造方法。
【請求項４】
ネジ止めされる部品のネジ止め孔位置に仮孔が開けられる化粧シートが表面に設けられる遊技機の遊技盤の製造方法であって、前記仮孔位置周辺に設けられ該仮孔内部の色より明度の高い色である白色による目印を含む化粧シートを遊技盤表面に設けるステップと、前記化粧シートにおいてネジ止めされる部品のネジ止め孔位置に仮孔を開けるステップと、前記仮孔内部の色と前記目印の色との対比において前記仮孔の位置を確認しつつ前記部品を前記仮孔にネジ止めするステップとを含むことを特徴とする遊技盤の製造方法。
【発明の詳細な説明】
【０００１】
【発明の属する技術分野】
本発明は遊技機用化粧シート及びこれを用いた遊技盤並びに遊技盤の製造方法に関し、特に遊技盤表面にネジ止めされる部品のネジ止め孔位置に仮孔が開けられる遊技機用化粧シート及びこれを用いた遊技盤並びに遊技盤の製造方法に関する。
【０００２】
【従来の技術】
一般的な遊技盤の製造工程について説明する。まず、遊技盤の大きさに木板を切り出す。この切り出した木板に化粧シートを貼付する。化粧シートの貼付には接着剤等を用いる。この化粧シートは遊技盤を汚れ難くすると共に付着した汚れを落としやすくするものである。また、遊技盤の機種毎に応じた様々な模様や色彩が施され、視覚的効果を高めるように配慮されている。
【０００３】
次に、遊技球を遊技盤裏側に誘導するための孔を木板に開ける。この誘導孔は、木工機械等を用いて開ける。そして、釘や遊技に必要な各役物を取付けるための下孔（仮孔）を、遊技盤の表面に開ける。この仮孔は、ポンチ等を用いて複数同時に開ける。この仮孔を開けた状態が図３に示されている。同図に示されているように、木板１の表面に化粧シート１１が貼付されており、誘導孔１００が開けられている。そして、化粧シート１１の表面において、誘導孔１００の左右両側に、仮孔１０が設けられている。同図に示されている仮孔１０は役物を取付けるためのものであるが、この他に釘を打込むための図示せぬ仮孔が木板１に多数設けられているものとする。
【０００４】
次に、これら仮孔のうち、釘を打ち込むべきものに対して釘を打ち込む。この釘の打ち込みは、釘打ち機を用いて行う。この釘打ち後、その他の仮孔には、役物を取り付ける。この場合、木ネジを用い、２〜３個程度の仮孔に対して役物を手作業で仮止めし、残りの仮孔には機械で木ネジを取付ける。
役物を手作業で仮止めする場合、図４に示されているような方法で仮孔位置を特定する必要がある。すなわち、同図（ａ）に示されているように、木板１に設けられている仮孔１０を、役物２に設けられている貫通孔２０を通して探す。この場合、役物２の位置を矢印Ｙのように移動させることによって仮孔１０の位置を探すことになる。そして、両者の位置を一致させた状態で、役物２を木板１にネジ止めして固定するのである。
【０００５】
【発明が解決しようとする課題】
上述した従来技術においては、背景色すなわち遊技盤に貼付される化粧シートの色が赤や橙等の明るい色（明度の高い色）であれば、下孔（仮孔）を容易に判別できる。しかしながら、夜の街を表現する場合等、背景色が黒やそれに近い色（明度の低い色）である場合、仮孔の位置を判別し難い。特に、図４（ｂ）に示されているように、仮孔１０の内部に化粧シート１１が巻込まれている場合、巻込み部分１１ａや１１ｂも明度の低い色であるので、仮孔１０の位置を判別するのは困難である。したがって、この場合には、役物の取り付け作業効率が低下するという欠点がある。
【０００６】
近年、遊技機においては、アクションヒーローやヒロイン等のキャラクタを中心にデザインを決定することが多い。このデザインを決定する際には、キャラクタのイメージに応じて背景デザインを決めるのが一般的である。逆に、化粧シートの色を明るい色に限定してしまうと、化粧シートのデザインの自由度を制限することになるという欠点がある。
【０００７】
本発明は上述した従来技術の欠点を解決するためになされたものであり、その目的は背景色が黒やそれに近い色である場合であっても、部品の貫通孔と仮孔との位置を容易に一致させることのできる遊技機用化粧シート及びこれを用いた遊技盤並びに遊技盤の製造方法を提供することである。
【０００８】
【課題を解決するための手段】
本発明による遊技機用化粧シートは、遊技機の遊技盤表面に設けられ、前記遊技盤表面にネジ止めされる部品の貫通孔位置に仮孔が開けられる化粧シートであって、前記部品の貫通孔と前記仮孔との位置を一致させるために前記仮孔位置周辺に設けられ該仮孔内部の色より明度の高い色による目印を含むことを特徴とする。
【０００９】
本発明による遊技機用化粧シートを用いた遊技盤は、ネジ止めされる部品の貫通孔位置に仮孔が開けられる化粧シートが表面に設けられる遊技機の遊技盤であって、前記化粧シートは、前記部品の貫通孔と前記仮孔との位置を一致させるために前記仮孔位置周辺に設けられ該仮孔内部の色より明度の高い色による目印を含むことを特徴とする。
【００１０】
本発明による遊技機用化粧シートを用いた遊技盤の製造方法は、ネジ止めされる部品の貫通孔位置に仮孔が開けられる化粧シートが表面に設けられる遊技機の遊技盤の製造方法であって、前記部品の貫通孔と前記仮孔との位置を一致させるために前記仮孔位置周辺に設けられ該仮孔内部の色より明度の高い色による目印を含む化粧シートを遊技盤表面に設けるステップと、前記化粧シートにおいてネジ止めされる部品の貫通孔位置に仮孔を開けるステップと、前記仮孔内部の色と前記目印の色との対比において前記仮孔の位置を確認しつつ前記部品を前記仮孔にネジ止めするステップとを含むことを特徴とする。
また、本発明による他の遊技盤の製造方法は、ネジ止めされる部品のネジ止め孔位置に仮孔が開けられる化粧シートが表面に設けられる遊技機の遊技盤の製造方法であって、前記仮孔位置周辺に設けられ該仮孔内部の色より明度の高い色である白色による目印を含む化粧シートを遊技盤表面に設けるステップと、前記化粧シートにおいてネジ止めされる部品のネジ止め孔位置に仮孔を開けるステップと、前記仮孔内部の色と前記目印の色との対比において前記仮孔の位置を確認しつつ前記部品を前記仮孔にネジ止めするステップとを含むことを特徴とする。
【００１１】
要するに、仮孔位置に白色等の明度の高い色で目印を設けておくことにより、背景色が黒やそれに近い色である場合であっても、仮孔の位置を容易に判別することができるのである。
【００１２】
【発明の実施の形態】
次に、図面を参照して本発明の実施の形態について説明する。なお、以下の説明において参照する各図では、他の図と同等部分は同一符号によって示されている。
図１は本発明による遊技機用化粧シートを用いた遊技盤の実施の一形態を示す概略図である。同図に示されているように、遊技機用化粧シート１１には、仮孔１０の周囲に、仮孔内部の色よりも明度の高い色による目印３が設けられている。このため、明度の高い色による目印３と明度の低い仮孔１０との対比が明確になり、仮孔１０の位置を容易に判別できるのである。
【００１３】
したがって、先述した図４（ａ）のように矢印Ｙのように役物２を移動させることにより、貫通孔２０を通して仮孔１０を容易に見つけ出すことができる。同図（ｂ）に示されているように化粧シート１１が仮孔１０の内部に巻込まれている場合も同様である。
図１に戻り、化粧シート１１に予め目印３が設けられているので、ポンチ等で仮孔１０を設けた場合であっても、この仮孔１０の位置を容易に判別できる。したがって、役物２の貫通孔２０と仮孔１０との位置を容易に一致させることができる。この両者の位置を一致させた状態が図２に示されている。この状態で、貫通孔２０に図示せぬネジをねじ込むことによって、木板１に役物２を固定するのである。なお、役物に多数の貫通孔が設けられている場合には、対角位置にある２〜３個の貫通孔について手作業でネジ止めした後、残りの孔について機械でネジ止めすることもある。
【００１４】
ところで、以上説明した化粧シートには、仮孔内部の色より明度の高い色による目印が仮孔位置周辺に予め設けられていることになる。よって、仮孔の位置が多少ズレると、取付けた役物からはみ出して目印が遊技者に見えてしまうこともある。このため、この目印の色には化粧シート全体のデザインを考慮した色を選択するのが望ましい。すなわち、明度の高い色としては白色が望ましいが、白色に限らず、シアン、マゼンタ、イエローのうちの一色、例えばイエローを用いても良い。そして、この目印の形状は、円形に限定されることはなく、星形でも良い。夜空や宇宙空間をイメージしたデザインを化粧シートに施した場合に、目印を星形にしておけば、取付けた役物からはみ出して目印が遊技者に見えても、違和感がなくなる。この他、三角形や四角形等の多角形やハート型等、種々の形状の目印を採用することができる。役物の形状を縮小したような形状にすれば、取付け位置が明確になり、より作業効率が向上すると考えられる。また、役物の外形に沿って周囲全体に帯状にしても良い。
【００１５】
ここで、化粧シート１１の断面構造について図５を参照して説明する。同図に示されているように、化粧シート１１は、上質紙による台紙１１Pに、６枚のフィルムが積層されることによって、種々の図柄を表現する。表面側に透明フィルム１１T を設け、その後ろにシアンのフィルム１１C 、マゼンタのフィルム１１M 、イエローのフィルム１１Y 、黒色のフィルム１１K 、白色のフィルム１１Wを順に重ねる。そして、台紙１１Pを重ねる。このとき、シアンのフィルム１１C 、マゼンタのフィルム１１M 、イエローのフィルム１１Y 、黒色のフィルム１１K には、各フィルム同一の位置に、目印の形状（同図では円形）に対応する形状の透明部分が設けられている。すなわち、表面から見ると、これら各フィルムの透明部分及び表面の透明フィルム１１T を介して白色のフィルム１１Wが見えることになる。これにより、化粧フィルム１１には破線部分１１WTによって上記の目印が形成されることになる。なお、同図において、シアンのフィルム１１C 、マゼンタのフィルム１１M 、イエローのフィルム１１Y 、黒色のフィルム１１K の順序は、一例であり、それらフィルムを重ねる順序は任意で良い。
【００１６】
以上説明したように、本発明においては、以下のような遊技盤の製造方法が実現できる。すなわち、ネジ止めされる部品のネジ止め孔位置に仮孔が開けられる化粧シートが表面に設けられる遊技機の遊技盤の製造方法が実現できる。そして、この製造方法は、上記仮孔位置周辺に設けられその仮孔内部の色より明度の高い色による目印を含む化粧シートを遊技盤表面に設けるステップと、その化粧シートにおいてネジ止めされる部品のネジ止め孔位置に仮孔を開けるステップと、仮孔内部の色と目印の色との対比において仮孔の位置を確認しつつ部品を仮孔にネジ止めするステップとを含んでいることになる。
【００１７】
【発明の効果】
以上説明したように本発明は、化粧シートの仮孔位置周辺に、仮孔内部の色より明度の高い色による目印を予め設けておくことにより、背景色が黒やそれに近い色である場合であっても、仮孔の位置を容易に判別できるという効果がある。そして、暗い照明の下や長時間の作業で目が疲れて視力が低下している状況においても、仮孔を容易に判別でき、作業効率が向上するという効果がある。このため、明度の低い色を背景色に用いることもでき、化粧シートを自由にデザインできるようになるという効果がある。したがって、背景色に、黒やそれに近い色を採用することができるので、遊技機の意匠面での演出効果を大幅に向上できるという効果がある。
【図面の簡単な説明】
【図１】本発明による遊技機用化粧シートを用いた遊技盤の概略構成図である。
【図２】図１の遊技盤に役物を取り付けた状態を示す概略図である。
【図３】従来の遊技機用化粧シートを用いた遊技盤の概略構成図である。
【図４】役物の貫通孔を通して仮孔の位置を判別する作業を示す概略図である。
【図５】化粧シートの断面構造を示す図である。
【符号の説明】
１  木板
２  役物
３  目印
１０  仮孔
１１  化粧シート
２０  貫通孔
【図１】
0003745203.tif 000002
【図２】
0003745203.tif 000003
【図３】
0003745203.tif 000004
【図４】
0003745203.tif 000005
【図５】
0003745203.tif 000006